(57)【要約】【課題】反射板が本体に取り付けられた状態であるか否かに関わらず、ランプ支持バネの取付作業性を悪くせずに、支持バネのバネ力が強くなり過ぎないようにする。【解決手段】天井面Ｃに設置の配線器具Ｂに対応する位置に形成された挿入孔１ａを有する本体１と、蛍光灯と、配線器具Ｂ側に配線される電源線から電力の供給を受けて蛍光灯を点灯する電子式安定器と、本体１と蛍光灯との間に配置されるとともに電子式安定器を本体１とで覆う反射板４と、ランプ支持バネ１７とを備えた。本体１側には、この下面側からランプ支持バネ取付孔へ伸びてこれを塞ぐ筒状の絶縁隔壁１６Ａが形成され、この内面は、本体１側ほど絶縁隔壁１６Ａの軸により近くなって本体１側の底部１６０に基部１７０が丁度填り込む寸法に設定された斜面になっている。ランプ支持バネ１７は、この基部１７０が絶縁隔壁１６Ａ内の底部１６０に填り込んだ状態でねじ止め固定される。【選択図】　図１
2004134123.tif 000002
【特許請求の範囲】
【請求項１】
天井取付型の照明器具であって、
天井面に設置の配線器具に対応する位置に形成された挿入孔を有する本体と、光源と、前記配線器具側に配線される電源線から電力の供給を受けて前記光源を点灯する電子機器と、前記本体と前記光源との間に配置されるとともに前記電子機器を前記本体とで覆う反射板と、基部に対し端部が屈曲した形状に形成され、前記反射板に形成された支持バネ取付孔から下方に突出して前記端部で前記光源を支持する支持バネとを備え、
前記本体側には、当該本体の下面側から前記反射板の支持バネ取付孔へ伸びてこれを塞ぐ筒状の隔壁が形成され、この隔壁の内面は、前記本体側ほど当該筒状の隔壁の軸により近くなって当該隔壁内における前記本体側底部に前記支持バネの基部が丁度填り込む寸法に設定された斜面になっており、
前記支持バネは、この基部が前記隔壁内における前記本体側底部に填り込んだ状態で固定される
ことを特徴とする照明器具。
【請求項２】
前記反射板の支持バネ取付孔の寸法は、前記支持バネの自由形状の寸法以上に設定されていることを特徴とする請求項１記載の照明器具。
【発明の詳細な説明】
【０００１】
【発明の属する技術分野】
本発明は天井取付型の照明器具に関するものである。
【０００２】
【従来の技術】
図４は従来の照明器具の分解斜視図である。この図に示す照明器具は、天井面（後述の図１のＣ参照）に沿って進退自在に突出する一対の係止片Ａ１が設けられた取付アダプタＡを介して、天井面Ｃに設置の引掛シーリングや埋込ローゼットなどの配線器具（図１のＢ参照）に取り付けられる天井取付型のものである。
【０００３】
照明器具は、円盤状に形成された例えば金属製の本体１と、環形で定格出力および管径が異なる大小２種類の蛍光灯（図示せず）と、蛍光灯点灯用であってＵ字状のプリント配線基板３０に形成されてなる電子式安定器３と、本体１と蛍光灯との間に配置されるとともに電子式安定器３を本体１とで覆う反射板４と、蛍光灯および反射板４を覆うように本体１に取り付けられる透光性のグローブ（図示せず）とを備えている。
【０００４】
本体１の中央部には、少なくとも配線器具挿入用の例えば円状の挿入孔（図１の１ａ参照）が形成されているほか、取付アダプタＡ挿入用で挿入孔１ａと同軸となる円状の挿入孔１０ａを底部１００に持ち、上方の開口縁部に四角形状のフランジ部１０１を持つ例えば絶縁樹脂製の有底円筒部１０が一体に取着されている。また、底部１００の挿入孔１０ａの周縁には下方に突出するリング状のリブ１０２が形成されている。なお、本体１の中央部は、有底円筒部１０の形状に合わせて下方に突出する形状に形成される（図１参照）。
【０００５】
そして、有底円筒部１０の底部１００には、例えば複数のねじＳ１により、挿入孔１ａ，１０ａと同軸となってそれらの外側から下方に伸びる例えば絶縁樹脂製の筒状部材１１がねじ止めされている。この筒状部材１１の内壁には、取付アダプタＡの各係止片Ａ１に対する掛かり部（図１の１１０参照）が、取付アダプタＡの円筒状の側壁と嵌合するように周設されている。従って、挿入孔１０ａに取付アダプタＡを挿入し、取付アダプタＡの各係止片Ａ１を筒状部材１１の掛かり部１１０に係合すれば、本体１が取付アダプタＡおよび配線器具Ｂを介して天井面に取り付けられることになる。なお、挿入孔１０ａの周縁に形成されたリブ１０２も、取付アダプタＡの各係止片Ａ１と係合するようになっている（図１参照）。
【０００６】
一方、本体１の周部には、後述のグローブに形成された複数の係止爪と係合する複数のグローブガイド１２および固定部１３が一体に設けられている。
【０００７】
本体１における中央部と周部との間には、ソケット引掛爪１４、ソケット引掛孔１５および靴状の一対の絶縁隔壁１６が設けられ、これらのうちソケット引掛爪１４および一対の絶縁隔壁１６は有底円筒部１０のフランジ部１０１に一体成形されている。
【０００８】
電子式安定器３は、例えば、商用電源を整流および平滑などして直流電力を得る直流電源、およびこの直流電源で得られた直流電力を高周波電力に変換するインバータなどにより構成され、本体１の下面から離隔した状態で有底円筒部１０のフランジ部１０１下方に取付固定される。
【０００９】
プリント配線基板３０には、上記直流電源およびインバータなどを構成するための各種部品が実装されているほか、図示しない電源線が接続されている。この電源線は、筒状部材１１内で、本体１の挿入孔１ａの位置にくる配線器具Ｂ側に配線され、その配線器具Ｂに取り付けられた取付アダプタＡに電気的に接続される。これにより、電子式安定器３の直流電源が電源線から電力の供給を受けることになる。
【００１０】
また、プリント配線基板３０には、インバータで変換された高周波電力を各蛍光灯に供給するためのソケット３２が、例えば電線またはピンなどを介して電気的に接続される。ソケット３２は、本体１側のソケット引掛爪１４およびソケット引掛孔１５とそれぞれ係合する固定用凹部３２１および固定用爪部３２２を有しており、本体１の下面に着脱自在に固定されるようになっている。
【００１１】
さらに、プリント配線基板３０には、蛍光灯の点灯／消灯切替用として引き輪３３０を有するスイッチ３３、および豆球（図示せず）着脱用の豆球ソケット３４などが実装されている。スイッチ３３をプリント配線基板３０に実装することで、電子式安定器３およびスイッチ３３に対する配線処理が不要となる。
【００１２】
反射板４は、金属板によって皿ないし椀状、図４の例では円状の平坦な底部４０、緩やかに傾斜する下側周部４１およびこれよりも急な上側周部４２を有する形状に形成され、その開口端周縁には全周に渡ってリング状の外鍔４３が突設されている。
【００１３】
反射板４の底部４０には、筒状部材１１内に位置する取付アダプタＡを露出するための円状の露出孔４０ａが中央に形成され、この外側に豆球を豆球ソケット３４に装着するための挿通孔４０ｂが形成されている。
【００１４】
反射板４の外周側には、例えばねじＳ１により絶縁隔壁１６内にねじ止めされるランプ支持バネ１７を挿通するためのランプ支持バネ取付孔４ａが一対形成されているとともに、本体１に固定されるソケット３２を挿通するための挿通孔４ｂが露出孔４０ａを挟んだ反対側に形成されている。
【００１５】
このような構造の反射板４は、例えば複数のねじＳ１により反射板４の外鍔４３を本体１の下面にねじ止めすることで本体１に取り付けられる。そして、反射板４の下方に突出する一対のランプ支持バネ１７およびソケット３２に支持されて、ソケット３２を介して電子式安定器３に電気的に接続される各蛍光灯と、本体１との間に、反射板４が配置されることになる。
【００１６】
なお、図４の例では、ランプ支持バネ１７は、ねじＳ１の足部挿通用のねじ挿通孔１７０ａを有する基部１７０から両端部１７１が同一方向に屈曲する形状に形成され、各端部１７１の先端は蛍光灯の発光管の管壁に当接ないし近接する形状に湾曲している。また、絶縁隔壁１６は、電子式安定器３を含む充電部保護用として、本体１と反射板４とで覆われた内部空間を外部から隔離するように、反射板４に形成されたランプ支持バネ取付孔４ａを閉塞するようになっている。他方、挿通孔４ｂはソケット３２の本体３２０によって閉塞されるようになっている。
【００１７】
グローブは、アクリル樹脂などの透光性を有する合成樹脂によって上面に円状の開口を有するドーム状に形成される。開口の周縁からは全周に亘って周壁が立設され、この周壁の先端からは外向きに突出するフランジ部が形成されている。また、周壁の内周面には、平面視略山形で周壁の高さよりも若干小さな厚み寸法を有する係止爪が略等間隔に複数個突設されている。従って、グローブの開口内に蛍光灯や反射板４などを収納しながら、グローブを回転させて各係止爪を本体１の各グローブガイド１２および各固定部１３に係止すれば、グローブが本体１に取付固定されることになる。
【００１８】
このほか、上記照明器具に類似するものとしては、例えば特許文献１〜３などに記載された照明器具がある。
【００１９】
【特許文献１】
特開２００１−０７６５１８号公報
【特許文献２】
特開２００１−０７６５３０号公報
【特許文献３】
特開２００１−０７６５３１号公報
【００２０】
【発明が解決しようとする課題】
上記特許文献１〜３などに記載された照明器具では、ランプ支持バネが反射板に取り付けられるために、ランプ支持バネにおける基部から端部先端側までの距離が短くなるので、蛍光灯の発光管を支持するランプ支持バネのバネ力が強くなり過ぎるという問題がある。
【００２１】
この問題は、図４に示した照明器具のように、ランプ支持バネ１７を本体１側に取り付けることにより、ランプ支持バネ１７における基部１７０から端部１７１先端側までの距離を長くすることができるので、解決可能となる。
【００２２】
しかしながら、ランプ支持バネ１７を本体１側に取り付ける場合、本体１と反射板４とで覆われた内部空間を外部から隔離するためには、本体１にねじ止めされるランプ支持バネ１７の基部１７０側を取り囲むようにして隔壁（図４の例では絶縁隔壁１６）を設け、この絶縁隔壁１６によって反射板４のランプ支持バネ取付孔４ａを閉塞する必要があるので、絶縁隔壁１６で覆われた内部にランプ支持バネ１７の基部１７０をねじ止めしなければならず、本体１へのランプ支持バネ１７のねじ止め作業が困難となる。
【００２３】
また、反射板４のランプ支持バネ取付孔４ａを通して、ランプ支持バネ１７を本体１側の絶縁隔壁１６内にねじ止めする場合も、困難な作業となる。
【００２４】
本発明は、上記事情に鑑みてなされたものであり、反射板が本体に取り付けられた状態であるか否かに関わらず、支持バネ（ランプ支持バネ）の取付作業性を悪くすることなく、支持バネのバネ力が強くなり過ぎないようにすることができる照明器具を提供することを目的とする。
【００２５】
【課題を解決するための手段】
上記課題を解決するための請求項１記載の発明は、天井取付型の照明器具であって、天井面に設置の配線器具に対応する位置に形成された挿入孔を有する本体と、光源と、前記配線器具側に配線される電源線から電力の供給を受けて前記光源を点灯する電子機器と、前記本体と前記光源との間に配置されるとともに前記電子機器を前記本体とで覆う反射板と、基部に対し端部が屈曲した形状に形成され、前記反射板に形成された支持バネ取付孔から下方に突出して前記端部で前記光源を支持する支持バネとを備え、前記本体側には、当該本体の下面側から前記反射板の支持バネ取付孔へ伸びてこれを塞ぐ筒状の隔壁が形成され、この隔壁の内面は、前記本体側ほど当該筒状の隔壁の軸により近くなって当該隔壁内における前記本体側底部に前記支持バネの基部が丁度填り込む寸法に設定された斜面になっており、前記支持バネは、この基部が前記隔壁内における前記本体側底部に填り込んだ状態で固定されることを特徴とする。
【００２６】
請求項２記載の発明は、請求項１記載の照明器具において、前記反射板の支持バネ取付孔の寸法は、前記支持バネの自由形状の寸法以上に設定されていることを特徴とする。
【００２７】
【発明の実施の形態】
（第１実施形態）
図１は本発明に係る第１実施形態の照明器具を、グローブを外した状態で見た横断面図、図２は図１の一部拡大図である。
【００２８】
第１実施形態の照明器具は、図４に示した従来の照明器具との相違点として、一対の絶縁隔壁１６に代えて、図１，図２に示すように一対の絶縁隔壁１６Ａを備えている。
【００２９】
絶縁隔壁１６Ａは、図４に示した従来の照明器具と同様に、絶縁樹脂製の有底円筒部１０のフランジ部１０１に一体成形され、本体１の下面側から反射板４のランプ支持バネ取付孔４ａ（図４参照）へ伸びてこれを塞ぐ有底筒状またはすり鉢状に形成されている。
【００３０】
より具体的には、絶縁隔壁１６Ａは、四角ないし矩形状の底部１７０およびこの底部１７０の周縁から立設する側面部を有する形状に形成され、これら側面部のうち、有底円筒部１０の挿入孔１０ａ側に位置する側面部１６１側が本体１の下面側に屈曲して有底円筒部１０のフランジ部１０１と一体になっている。
【００３１】
そして、絶縁隔壁１６Ａの各側面部の内面は、本体１側ほど筒状の絶縁隔壁１６Ａの軸により近くなって絶縁隔壁１６Ａ内における本体１側の底部１６０にランプ支持バネ１７の基部１７０が丁度填り込む寸法に設定された斜面となっている。従って、ランプ支持バネ１７は、この基部１７０が絶縁隔壁１６Ａ内における本体１側の底部１６０に填り込んだ状態で、ねじＳ１によりねじ止めされて固定されることになる。つまり、基部１７０にはねじＳ１の足部挿通用の孔が形成されており、その孔に挿通されたねじＳ１が、本体１に形成されたねじ孔に螺着するようになっているのである。
【００３２】
以上の構造によれば、本体１側に取り付けられるランプ支持バネ１７の基部１７０が、絶縁隔壁１６Ａ内の斜面（４面）に案内されて絶縁隔壁１６Ａ内における本体１側の底部１６０に丁度填り込むので、反射板４が本体１に取り付けられた状態であるか否かに関わらず、ランプ支持バネ１７の取付作業性を悪くすることなく、ランプ支持バネ１７のバネ力が強くなり過ぎないようにすることができる。
【００３３】
なお、第１実施形態では、本体１とは別体の絶縁隔壁１６Ａが設けられる構成になっているが、金属板からなる本体１に例えば上記絶縁隔壁と同形状の隔壁をプレス加工で延設するようにしてもよい。
【００３４】
（第２実施形態）
図３は本発明に係る第２実施形態の照明器具を、グローブを外した状態で見た正面図である。
【００３５】
第２実施形態の照明器具は、第１実施形態との相違点として、反射板４に代えて図３に示すように、そのランプ支持バネ取付孔４ａよりも大きく、ランプ支持バネ１７の先端側自由形状の寸法以上に設定されたランプ支持バネ取付孔４ａ’が形成されている反射板４Ａを備え、そのランプ支持バネ取付孔４ａ’に合わせて絶縁隔壁１６Ｂが絶縁隔壁１６Ａに代えて形成されている。
【００３６】
この構造によれば、本体１からランプ支持バネ１７を取り外すことなく、反射板４Ａを本体１に取り付けたり、本体１から取り外したりすることができる。
【００３７】
【発明の効果】
以上のことから明らかなように、請求項１記載の発明は、天井取付型の照明器具であって、天井面に設置の配線器具に対応する位置に形成された挿入孔を有する本体と、光源と、前記配線器具側に配線される電源線から電力の供給を受けて前記光源を点灯する電子機器と、前記本体と前記光源との間に配置されるとともに前記電子機器を前記本体とで覆う反射板と、基部に対し端部が屈曲した形状に形成され、前記反射板に形成された支持バネ取付孔から下方に突出して前記端部で前記光源を支持する支持バネとを備え、前記本体側には、当該本体の下面側から前記反射板の支持バネ取付孔へ伸びてこれを塞ぐ筒状の隔壁が形成され、この隔壁の内面は、前記本体側ほど当該筒状の隔壁の軸により近くなって当該隔壁内における前記本体側底部に前記支持バネの基部が丁度填り込む寸法に設定された斜面になっており、前記支持バネは、この基部が前記隔壁内における前記本体側底部に填り込んだ状態で固定されるので、本体側に固定される支持バネの基部が、隔壁内の斜面に案内されて隔壁内における本体側底部に丁度填り込むことになるから、反射板が本体に取り付けられた状態であるか否かに関わらず、支持バネの取付作業性を悪くすることなく、支持バネのバネ力が強くなり過ぎないようにすることができる。
【００３８】
請求項２記載の発明は、請求項１記載の照明器具において、前記反射板の支持バネ取付孔の寸法は、前記支持バネの自由形状の寸法以上に設定されているので、本体から支持バネを取り外すことなく、反射板を本体に取り付けたり、本体から取り外したりすることができる。
【図面の簡単な説明】
【図１】本発明に係る第１実施形態の照明器具を、グローブを外した状態で見た横断面図である。
【図２】図１の一部拡大図である。
【図３】本発明に係る第２実施形態の照明器具を、グローブを外した状態で見た正面図である。
【図４】従来の照明器具の分解斜視図である。
【符号の説明】
Ａ　取付アダプタ
Ａ１　係止片
Ｂ　配線器具
１　本体
１ａ　挿入孔
１０　有底円筒部
１０ａ　挿入孔
１００　底部
１０１　フランジ部
１０２　リブ
１１　筒状部材
１１０　掛かり部
１２　グローブガイド
１３　固定部
１４　ソケット引掛爪
１５　ソケット引掛孔
１６Ａ，１６Ｂ　絶縁隔壁
１７　ランプ支持バネ
３　電子式安定器
３０　プリント配線基板
３２　ソケット
３３　スイッチ
３４　豆球ソケット
４，４Ａ　反射板
４ａ，４ａ’　ランプ支持バネ取付孔
４ｂ　挿通孔
４０　底部
４０ａ　露出孔
４０ｂ　挿通孔
４１　下側周部
４２　上側周部
４３　外鍔
【図１】
2004134123.tif 000003
【図２】
2004134123.tif 000004
【図３】
2004134123.tif 000005
【図４】
2004134123.tif 000006